(57)【要約】【課題】色変換処理と圧縮処理とを行うための，安価に製造可能な構成を有する画像処理回路を、提供する。【解決手段】画像処理回路１０を、色変換後の各色成分データの圧縮結果を，メインメモリ２０上の別領域に書き込む回路としておくことにより、圧縮の処理単位と同じサイズの複数のＳＲＡＭ等を設けておく必要がない回路としておく。【選択図】  図１
2007110480.tif 000002
【特許請求の範囲】
【請求項１】
第１の画像データに対して色変換処理を施すことにより第２の画像データを生成する色変換回路と、
第２の画像データを構成する複数の色成分データのそれぞれに対して圧縮・書込処理を実行するための圧縮・書込回路とを、備え、
前記圧縮・書込回路が各色成分データに対して実行する圧縮・書込処理が、所定量の色成分データ毎に、その色成分データに圧縮処理を施し，圧縮処理後のデータを、自回路と接続されているメモリ上の，その色成分データに関するものとして指定されているアドレスで始まる領域に連続的に書き込む処理である
ことを特徴とする画像処理回路。
【請求項２】
前記圧縮・書込回路が前記メモリ上に書き込んだ，各色成分データに関するデータの総サイズに基づき、各色成分データに関する全種類のデータが前記メモリ上の連続した記憶領域上に記憶されている状態を形成するための処理を行うコピー回路を、さらに備える
ことを特徴とする請求項１記載の画像処理回路。
【請求項３】
前記色変換回路が、ＲＧＢ画像データに対して色変換処理を施すことによりＣＭＹＫ画像データを生成する回路である
ことを特徴とする請求項１又は請求項２記載の画像処理回路。
【請求項４】
第１の画像データに対して色変換処理を施すことにより第２の画像データを生成する色変換回路と、
第２の画像データを構成する複数の色成分データのそれぞれに対して，圧縮後サイズ特定処理を実行する機能、及び、前記複数の色成分データのそれぞれに対して，圧縮・書込処理とを実行する機能を有する圧縮・書込回路とを、備え、
前記圧縮・書込回路が各色成分データに対して実行可能な圧縮後サイズ特定処理が、所定量の色成分データ毎に、その色成分データに圧縮処理を施し，圧縮処理後のデータの総サイズを特定する処理であり、
前記圧縮・書込回路が各色成分データに対して実行可能な圧縮・書込処理が、所定量の色成分データ毎に、その色成分データに圧縮処理を施し，圧縮処理後のデータを自回路と接続されているメモリ上に連続的に書き込む処理であると共に、各色成分データに関する圧縮処理後のデータの書き込み開始位置を、指定されているアドレスと，前記圧縮後サイズ特定処理によって特定された各色成分データに関する圧縮処理後のデータの総サイズとに基づき、圧縮処理後の全データが前記メモリ上の前記指定されているアドレスで始まる連続した記憶領域上に記憶されるように決定する処理である
ことを特徴とする画像処理回路。
【請求項５】
印刷データに応じた内容の第１の画像データが書き込まれるメインメモリ、
前記メインメモリ上の前記第１の画像データに基づき、前記メインメモリ上に圧縮画像データを生成するための画像処理回路、及び、
前記メインメモリ上の前記圧縮画像データに応じた内容の印刷物を生成するための印刷部
を、含み、
前記画像処理回路が、
前記第１の画像データに対して色変換処理を施すことにより第２の画像データを生成する色変換回路と、
第２の画像データを構成する複数の色成分データのそれぞれに対して、所定量の色成分データ毎に、その色成分データに圧縮処理を施し，圧縮処理後のデータを、前記メインメモリ上の，その色成分データに関するものとして指定されているアドレスで始まる領域に連続的に書き込む圧縮・書込処理を実行することにより、前記圧縮画像データを生成する圧縮・書込回路と
を、備えた回路である
ことを特徴とするカラーページプリンタ。
【請求項６】
印刷データに応じた内容の第１の画像データが書き込まれるメインメモリ、
前記メインメモリ上の前記第１の画像データに基づき、前記メインメモリ上に圧縮画像データを生成するための画像処理回路、及び、
前記メインメモリ上の前記圧縮画像データに応じた内容の印刷物を生成するための印刷部
を、含み、
前記画像処理回路が、
第１の画像データに対して色変換処理を施すことにより第２の画像データを生成する色変換回路と、
第２の画像データを構成する複数の色成分データのそれぞれに対して，所定量の色成分データ毎に、その色成分データに圧縮処理を施し，圧縮処理後のデータの総サイズを特定する圧縮後サイズ特定処理を実行する機能、及び、前記複数の色成分データのそれぞれに対して，所定量の色成分データ毎に、その色成分データに圧縮処理を施し，圧縮処理後のデータを前記メインメモリ上に連続的に書き込む処理であると共に、各色成分データに関する圧縮処理後のデータの書き込み開始位置を、指定されているアドレスと，前記圧縮後サイズ特定処理によって特定された各色成分データに関する圧縮処理後のデータの総サイズとに基づき、圧縮処理後の全データが前記メモリ上の前記指定されているアドレスで始まる連続した記憶領域上に記憶されるように決定する処理である圧縮・書込処理とを実行する機能を有する圧縮・書込回路と
を、備えた回路である
ことを特徴とするカラーページプリンタ。
【請求項７】
前記メインメモリが、ＤＲＡＭであり、
前記印刷部に、前記メインメモリのページヒット機能を利用して前記メインメモリ上の前記圧縮画像データが供給される
ことを特徴とする請求項５又は請求項６に記載のカラーページプリンタ。
【発明の詳細な説明】
【技術分野】
【０００１】
本発明は、色変換処理及び圧縮処理を行う画像処理回路と、そのような画像処理回路を備えた印刷装置とに、関する。
【背景技術】
【０００２】
周知のように、カラーページプリンタに印刷を行わせるためには、１ページ分のカラー画像データ（ＣＭＹＫ画像データやＣＭＹ画像データ）をカラーページプリンタ内に用意することが必要である。ただし、１ページ分のカラー画像データ（ＣＭＹＫ画像データやＣＭＹ画像データ）をそのまま記憶できる容量のメモリをカラーページプリンタ内に設けておくのは、コスト上、困難である。このため、一般的なカラーページプリンタは、１ページ分の，圧縮されたカラー画像データをメモリ上に用意する装置となっている。また、一般的なカラーページプリンタは、１ページ分の，圧縮されたカラー画像データをメモリ上に用意する処理が画像処理回路によって行われる構成の装置（例えば、特許文献１参照。）となっている。
【０００３】
以下、図５に示した構成の画像処理回路５０を例に、一般的なカラーページプリンタに用いられている画像処理回路の構成及び動作を、説明する。
【０００４】
この画像処理回路５０が備えているＲｅａｄ−ＤＭＡ回路５１は、ＣＰＵが指定した転送開始アドレス及び転送サイズで特定されるメインメモリ６０上のＲＧＢ画像データ（印刷データからＣＰＵが用意した画像データ）を、色変換回路５２にＤＭＡ転送する回路である。色変換回路５２は、Ｒｅａｄ−ＤＭＡ回路５１から転送されてきたＲＧＢデータをＣデータ，Ｍデータ，Ｙデータ及びＫデータ（以下、各データのことを，色成分データと表記する）に変換する回路である。
【０００５】
圧縮回路５３は、色変換回路５２からの各色成分データを圧縮する回路である。この圧縮回路５３は、色成分データ毎に、圧縮の処理単位と同じサイズのＳＲＡＭ（例えば、１ラスタ分の色成分データを記憶可能なサイズのＳＲＡＭ）を備えた回路となっている。
【０００６】
Ｗｒｉｔｅ−ＤＭＡ回路５４は、圧縮回路５３内の各ＳＲＡＭに記憶されている，各色性分データを圧縮したデータを、順次、メインメモリ６０に（メインメモリ６０上の，書込開始アドレスで始まる領域上に）、ＤＭＡ転送する回路である。このＷｒｉｔｅ−ＤＭＡ回路５４は、ＤＭＡ転送される所定サイズのデータを一時記憶しておくためのバッファ（小容量のメモリ；図における“ＢＵＦ”）を備えた回路となっている。
【０００７】
要するに、この画像処理回路５０は、転送開始アドレス，転送サイズ，書込開始アドレス等が指定されると、メインメモリ６０上のＲＧＢ画像データから、図６に模式的に示したような内容（形式）の圧縮画像データを生成する回路となっている。
【０００８】
既存の画像処理回路は、いずれも、この画像処理回路５０と同様に、圧縮の処理単位と同じサイズの複数のＳＲＡＭ（或いは、他の種類のメモリ）を備えた回路であると共に、メインメモリ上に、各色成分データの圧縮結果（図６における“Ｃ１ラスタ”，“Ｍ１ラスタ”等）が混在した圧縮画像データを生成する回路となっている。
【０００９】
このため、既存の画像処理回路は、安価に製造できない、メインメモリ上に分散されて記憶されている圧縮データがビデオ回路（印刷エンジンへのビデオ信号を圧縮データから生成する回路）へ供給されるように，ページプリンタを構成しておかなければならない、といった問題を有するものとなっていた。
【００１０】
また、既存の画像処理回路は、処理単位（圧縮回路５３に供給できるデータのサイズ）が，ＳＲＡＭのサイズにより制限される回路ともなっていた。
【００１１】
【特許文献１】特開２００５−１２３６７１号公報
【発明の開示】
【発明が解決しようとする課題】
【００１２】
そこで、本発明の課題は、色変換処理と圧縮処理とを行うための，安価に製造可能な構成を有する画像処理回路を、提供することにある。
【００１３】
また、本発明の他の課題は、安価に製造可能な構成を有するカラーページプリンタを、提供することにある。
【課題を解決するための手段】
【００１４】
上記課題を解決するために、本発明の第１の態様の画像処理回路は、第１の画像データに対して色変換処理を施すことにより第２の画像データを生成する色変換回路と、第２の画像データを構成する複数の色成分データのそれぞれについて圧縮・書込処理を実行可能な圧縮・書込回路とを、備え、圧縮・書込回路が各色成分データについて実行する圧縮・書込処理が、所定量の色成分データ毎に、その色成分データに圧縮処理を施し，圧縮処理後のデータを、自回路と接続されているメモリ上の，その色成分データに関するものとして指定されているアドレスで始まる領域に連続的に書き込む処理である構成を有する。
【００１５】
すなわち、本発明の第１の態様の画像処理回路は、各色成分データの圧縮結果を，メモリ上の別領域に書き込む構成を有している。そして、各色成分データの圧縮結果を，メモリ上の別領域に書き込む処理は、各色成分データの圧縮結果の一時記憶が不必要な処理（圧縮の処理単位と同じサイズの複数のＳＲＡＭ等が不要な処理）であるので、この画像処理回路は、複数のＳＲＡＭ等を回路内に設けておかなくても良い分、従来の画像処理回路よりも安価に製造できる回路となっていることになる。また、この画像処理回路を用いれば、カラーページプリンタを、メモリ上の特定の記憶領域（色成分に応じた記憶領域）に連続的に記憶されている各色成分の圧縮結果がビデオ回路へ供給されるように構成しておくだけで、製造できることになる。
【００１６】
また、本発明の第１の態様の画像処理回路は、“所定量”（圧縮・書込回路／圧縮・書込処理の処理単位）を任意の値とすることが可能な回路（“所定量”の上限が，回路構成によって制限されない回路）となっていると言うことも出来る。
【００１７】
本発明の第１の態様の画像処理回路を実現する際には、圧縮・書込回路がメモリ上に書き込んだ，各色成分データに関するデータの総サイズに基づき、各色成分データに関する全種類のデータがメモリ上の連続した記憶領域上に記憶されている状態を形成するための処理を行うコピー回路を、付加しておくことが出来る。
【００１８】
また、本発明の第２の態様の画像処理回路は、第１の画像データに対して色変換処理を施すことにより第２の画像データを生成する色変換回路と、第２の画像データを構成する複数の色成分データのそれぞれに対して，圧縮後サイズ特定処理を実行する機能、及び、複数の色成分データのそれぞれに対して，圧縮・書込処理とを実行する機能を有する圧縮・書込回路とを備えている。そして、本発明の第２の態様の画像処理回路は、圧縮・書込回路が各色成分データに対して実行可能な圧縮後サイズ特定処理が、所定量の色成分データ毎に、その色成分データに圧縮処理を施し，圧縮処理後のデータの総サイズを特定する処理であり、圧縮・書込回路が各色成分データに対して実行可能な圧縮・書込処理が、所定量の色成分データ毎に、その色成分データに圧縮処理を施し，圧縮処理後のデータを自回路と接続されているメモリ上に連続的に書き込む処理であると共に、各色成分データに関する圧縮処理後のデータの書き込み開始位置を、指定されているアドレスと，圧縮後サイズ特定処理によって特定された各色成分データに関する圧縮処理後のデータの総サイズとに基づき、圧縮処理後の全データがメモリ上の，指定されているアドレスで始まる連続した記憶領域上に記憶されるように決定する処理である回路となっている。
【００１９】
すなわち、本発明の第２の態様の画像処理回路は、各色成分データの圧縮処理後のデータの総サイズを特定する機能（圧縮後サイズ特定処理を実行する機能）と、特定した総サイズに基づき，最終的な処理結果がメモリ上に連続的に記憶されることになるように、各色成分データに関する圧縮処理後のデータの書き込み開始位置を決定する機能とを、本発明の第１の態様の画像処理回路に付加したものに相当する回路となっている。従って、この画像処理回路は、複数のＳＲＡＭ等を回路内に設けておかなくても良い分、従来の画像処理回路よりも安価に製造できる回路となっていることになる。また、この画像処理回路を用いれば、カラーページプリンタを、メモリ上の特定の記憶領域（色成分に応じた記憶領域）に連続的に記憶されている各色成分の圧縮結果がビデオ回路へ供給されるように構成しておくだけで、製造できることになる。さらに、この画像処理回路を動作させた際には、メモリ上に連続した空き領域が形成されることになる。このため、この画像処理回路を用いれば、画像処理後に、他の処理（連続した空き領域を必要とする処理）を即座に開始できることになる。
【００２０】
そして、本発明のカラーページプリンタ（請求項５，６）は、本発明の第１の態様の画像処理回路（請求項１記載のもの）、或いは、本発明の第２の態様の画像処理回路に相当する画像処理回路を備えた装置となっている。従って、本発明のカラーページプリンタは、他の画像処理回路が用いられたカラーページプリンタよりも、安価に製造可能な装置となっていることになる。
【００２１】
本発明のカラーページプリンタを実現する際には、メインメモリを、ＤＲＡＭとしておき、印刷部（例えば、ビデオ回路と印刷エンジンとからなるユニット）に、メインメモリ（ＤＲＡＭ）のページヒット機能を利用して、メインメモリ上の圧縮画像データが供給されるように構成しておくことが、望ましい。
【発明を実施するための最良の形態】
【００２２】
以下、本発明を実施するための最良の形態を、図面を参照して詳細に説明する。
【００２３】
《第１実施形態》
本発明の第１実施形態に係るカラーページプリンタは、図１に示した構成の画像処理回路１０を備えた装置である。
【００２４】
この画像処理回路１０に設けられているＲｅａｄ−ＤＭＡ回路１１，色変換回路１２，圧縮回路１３は、それぞれ、上記したＲｅａｄ−ＤＭＡ回路５１，色変換回路５２，圧縮回路５３（図５）と同機能の回路である。ただし、Ｒｅａｄ−ＤＭＡ回路１１，色変換回路１２，圧縮回路１３は、いずれも、一時停止要求が発行されたとき（一時停止要求用の信号がハイレベルとなったとき）に動作を停止し、一時停止要求が解除されたとき（一時停止要求用の信号がローレベルとなったとき）に動作を再開する回路となっている。
【００２５】
Ｗｒｉｔｅ−ＤＭＡ回路１４は、Ｃ圧縮データ（圧縮回路１３が出力する，圧縮されたＣデータ；以下、他のデータについても同様に表記する）を，ＣＰＵによって予め指定されているＣ用書込開始アドレスで始まるメインメモリ２０（本実施形態では，ＤＲＡＭ）上の記憶領域にＤＭＡ転送する機能、Ｍ圧縮データを，ＣＰＵによって予め指定されているＭ用書込開始アドレスで始まるメインメモリ２０上の記憶領域にＤＭＡ転送する機能、Ｙ圧縮データを，ＣＰＵによって予め指定されているＹ用書込開始アドレスで始まるメインメモリ２０上の記憶領域にＤＭＡ転送する機能、Ｋ圧縮データを，ＣＰＵによって予め指定されているＫ用書込開始アドレスで始まるメインメモリ２０上の記憶領域にＤＭＡ転送する機能を、有する回路である。
【００２６】
また、このＷｒｉｔｅ−ＤＭＡ回路１４は、ＤＭＡ転送するデータ（圧縮回路１３からの所定量の圧縮データ）を一時記憶しておくためのいずれかのバッファ（図における“ＢＵＦ”）がＦＵＬＬになった場合、そのバッファが空になるまで（そのバッファ内のデータのＤＭＡ転送が終了するまで、一時停止要求を発行する回路となっている。
【００２７】
さらに、Ｗｒｉｔｅ−ＤＭＡ回路１４は、メインメモリ２０に転送した圧縮データの総サイズ（以下、転送サイズと表記する）を管理する（把握し記憶しておく）ためのレジスタ（図における“転送サイズ”）を、４種の圧縮データのそれぞれについて、備えた回路となっている。
【００２８】
要するに、本実施形態に係る画像処理回路１０の，Ｒｅａｄ−ＤＭＡ回路１１，色変換回路１２，圧縮回路１３及びＷｒｉｔｅ−ＤＭＡ回路１４からなる回路は、各色成分データの圧縮結果を，メインメモリ２０上の別記憶領域に連続的に書き込む処理を行うものとなっている。
【００２９】
画像処理回路１０に設けられているコピー回路１５は、他の回路による処理の終了後（各色成分に関する圧縮画像データがメインメモリ２０上に用意された後）に使用される回路である。
【００３０】
このコピー回路１５は、書込開始アドレスの指定を含む指示がＣＰＵから与えられたときに、Ｗｒｉｔｅ−ＤＭＡ回路１４が管理している４種の転送サイズに基づき、図２に示してあるように、メインメモリ２０上の４つの記憶領域に記憶されている各圧縮画像データを、メインメモリ２０上の連続した記憶領域に記憶し直す回路となっている。
【００３１】
本実施形態に係るカラーページプリンタに用いられている画像処理回路１０は、上記したような構成／機能を有するものとなっており、本実施形態に係るカラーページプリンタは、この画像処理回路１０によって，メインメモリ２０上に用意された図３に示したような構成の圧縮画像データが、メインメモリ２０（ＤＲＡＭ）が有するページヒット機能（アドレスの連続するデータに対するアクセスが高速になるＤＲＡＭの機能）を利用してビデオ回路に供給されるように構成された装置となっている。
【００３２】
以上、説明したように、本実施形態に係るカラーページプリンタに用いられている画像処理回路１０は、各色成分データの圧縮結果をメインメモリ２０上の別領域に書き込む回路であるが故に、圧縮の処理単位と同じサイズの複数のＳＲＡＭ等を設けておかなくても製造できるもの（従来の画像処理回路よりも安価に製造できるもの）となっている。
【００３３】
そして、そのような画像処理回路１０が用いられた装置であるため、本実施形態に係るカラーページプリンタは、安価に製造できる装置となっている。また、ページヒット機能を利用してメインメモリ２０上のデータがビデオ回路に供給される装置であるため、本実施形態に係るカラーページプリンタは、従来のカラーページプリンタよりも、メインメモリ２０の帯域が広い（ＣＰＵが，メインメモリ２０を利用できない時間が短い）装置となっていると言うことが出来る。
【００３４】
《第２実施形態》
図４に、本発明の第２実施形態に係るカラーページプリンタに用いられている画像処理回路１０ｂの構成を、示す。
【００３５】
図示してあるように、本発明の第２実施形態に係る画像処理回路１０ｂは、Ｒｅａｄ−ＤＭＡ回路１１，色変換回路１２，圧縮回路１３，Ｗｒｉｔｅ−ＤＭＡ回路１４ｂ，転送開始アドレスが設定されるレジスタ，転送サイズが設定されるレジスタ，モードが設定されるレジスタ（図における“モード”；以下、モードレジスタと表記する），書込開始アドレスが設定されるレジスタ等からなる回路である。
【００３６】
この画像処理回路１０ｂに設けられているＲｅａｄ−ＤＭＡ回路１１，色変換回路１２，圧縮回路１３は、それぞれ、第１実施形態に係る画像処理回路１０（図１）内に設けられているＲｅａｄ−ＤＭＡ回路１１，色変換回路１２，圧縮回路１３と同じ回路である。
【００３７】
Ｗｒｉｔｅ−ＤＭＡ回路１４ｂは、モードレジスタに設定されている情報（モード）に応じて、圧縮後サイズ特定モード，書込モードのいずれかで動作する回路である。
【００３８】
圧縮後サイズ特定モードは、Ｗｒｉｔｅ−ＤＭＡ回路１４ｂが、各色成分データの圧縮回路１３による圧縮結果の総サイズ（以下、圧縮後サイズと表記する）を特定する処理のみを行う動作モード（メインメモリ２０へのデータ書込を行わない動作モード）である。
【００３９】
書込モードは、画像処理回路１０ｂを，圧縮後サイズ特定モードで動作させた後に利用される動作モードである。
【００４０】
この書込モードは、Ｗｒｉｔｅ−ＤＭＡ回路１４ｂが、設定されている書込開始アドレスと、圧縮後サイズ特定モードでの動作時に特定した各色成分データに関する圧縮後サイズとから、最終的な処理結果がメインメモリ上に連続的に記憶されるように、各色成分データの圧縮データの書込開始位置を決定（図４参照）し、その後、各色成分データに関する各圧縮データを、決定した各書込開始位置で始まるメインメモリ２０上の記憶領域にＤＭＡ転送する処理を開始する動作モードとなっている。
【００４１】
そして、第２実施形態に係るカラーページプリンタは、この画像処理回路１０ｂによって，メインメモリ２０上に用意された圧縮画像データが、メインメモリ２０（ＤＲＡＭ）が有するページヒット機能を利用してビデオ回路に供給されるように構成された装置となっている。
【００４２】
以上の説明から明らかなように、本実施形態に係るカラーページプリンタに用いられている画像処理回路１０ｂは、画像処理回路１０と同様に、圧縮の処理単位と同じサイズの複数のＳＲＡＭ等を設けておかなくても製造できるもの（従来の画像処理回路よりも安価に製造できるもの）となっている。
【００４３】
そして、そのような画像処理回路１０ｂが用いられた装置であるため、本実施形態に係るカラーページプリンタは、安価に製造できる装置となっている。また、ページヒット機能を利用してメインメモリ２０上のデータがビデオ回路に供給される装置であるため、本実施形態に係るカラーページプリンタは、従来のカラーページプリンタよりも、メインメモリ２０の帯域が広い（ＣＰＵが，メインメモリ２０を利用できない時間が短い）装置となっていることになる。
【００４４】
《変形形態》
上記したカラーページプリンタ、画像処理回路１０は、各種の変形を行うことが出来る。例えば、各色成分に関する圧縮画像データがメインメモリ２０上の連続した記憶領域に記憶されていなくても、印刷自体は問題なく行える。このため、メインメモリ２０に連続した空き領域を確保する必要がない場合（次ページがない場合等）には、コピー回路１５を機能させることなく印刷が行われる装置に、第１実施形態に係るカラーページプリンタを変形しておくことが出来る。また、画像処理回路１０からコピー回路１５を取り除いておき、各色成分に関する圧縮画像データをメインメモリ２０上の連続した記憶領域に移動させる処理がＣＰＵによって行われるようにしておくことも出来る。
【００４５】
また、画像処理回路１０ｂを、Ｗｒｉｔｅ−ＤＭＡ回路１５ｂによる圧縮後サイズ特定モード，書込モードでの動作が連続的に行われる回路（圧縮後サイズ特定モード，書込モードでの動作開始指示を別々に与える必要がない回路）に変形しておいても良い。
【図面の簡単な説明】
【００４６】
【図１】第１実施形態に係るカラーページプリンタが備える画像処理回路の構成図。
【図２】第１実施形態に係る画像処理回路内に設けられているコピー回路の機能の説明図。
【図３】第１実施形態に係る画像処理回路によってメインメモリ上に用意される圧縮画像データの説明図。
【図４】第２実施形態に係るカラーページプリンタが備える画像処理回路の構成図。
【図５】従来のカラーページプリンタに用いられている画像処理回路の構成図。
【図６】従来の画像処理回路内によってメモリ上に用意される圧縮画像データの説明図。
【符号の説明】
【００４７】
１０，１０ｂ，５０  画像処理回路、  １１，５１  Ｒｅａｄ−ＤＭＡ回路
１２，５２  色変換回路、  １３，５３  圧縮回路、
１４，１４ｂ，５４  Ｗｒｉｔｅ−ＤＭＡ回路、  １５  コピー回路
２０，６０  メインメモリ
【図１】
2007110480.tif 000003
【図２】
2007110480.tif 000004
【図３】
2007110480.tif 000005
【図４】
2007110480.tif 000006
【図５】
2007110480.tif 000007
【図６】
2007110480.tif 000008